(57)【要約】【課題】  従来の塵芥の溶融システムは二次燃焼炉における飛灰の溶融付着量は少ないものの、扱う廃棄物の性状によっては比較的多くの飛灰の溶融付着が認められることがある。飛灰の溶融付着はその成長を放置すると二次燃焼炉の閉塞を引き起こすことがある。特に廃車のシュレッダーダストのように細かく切断された樹脂、紙、繊維等を多く含む廃棄物を処理する際にこの現象が見られる。【解決手段】  下部に出口を備える燃焼室１と、シュート２と、壁面１０および水面４ａによって画定されるスラグ分離室１１を有しスラグ分離室１１に臨む壁面１０に排ガス導入口１０ａおよび下端が前記水面４ａの水位以下に達する排ガス出口１０ｂを設けたスラグ回収装置２０とを備え、前記燃焼室１の出口に前記シュート２を接続し、前記シュート２の出口に前記スラグ回収装置２０の排ガス導入口１０ａを接続する燃焼炉。【選択図】        図１
2007085564.tif 000002
【特許請求の範囲】
【請求項１】
壁面および水面によって画定されるスラグ分離室を有し、スラグ分離室に臨む壁面に排ガス導入口および下端が前記水面の水位以下に達する排ガス出口を設けることを特徴とするスラグ回収装置。
【請求項２】
夫々が壁面および水面によって画定される第一のスラグ分離室と第二のスラグ分離室とを有し、第一のスラグ分離室に臨む壁面に排ガス導入口および下端が前記水面の水位以下に達する排ガス出口を設け、第二のスラグ分離室に臨む壁面に下端が前記水面の水位より上に位置する排ガス排出口を設け、前記排ガス出口が第二のスラグ分離室に連通することを特徴とするスラグ回収装置。
【請求項３】
前記排ガス出口をアーチ型形状とする請求項１又は２に記載のスラグ回収装置。
【請求項４】
下部に出口を備える燃焼室と、
シュートと、
壁面および水面によって画定されるスラグ分離室を有しスラグ分離室に臨む壁面に排ガス導入口および下端が前記水面の水位以下に達する排ガス出口を設けたスラグ回収装置とを備え、
前記燃焼室の出口に前記シュートを接続し、前記シュートの出口に前記スラグ回収装置の排ガス導入口を接続することを特徴とする燃焼炉。
【請求項５】
下部に出口を備える燃焼室と、
シュートと、
夫々が壁面および水面によって画定される第一のスラグ分離室と第二のスラグ分離室とを有し第一のスラグ分離室に臨む壁面に排ガス導入口および下端が前記水面の水位以下に達する排ガス出口を設け第二のスラグ分離室に臨む壁面に下端が前記水面の水位より上に位置する排ガス排出口を設け、前記排ガス出口が第二のスラグ分離室に連通するスラグ回収装置とを備え、
前記燃焼室の出口に前記シュートを接続し、前記シュートの出口に第一のスラグ回収装置の排ガス導入口を接続することを特徴とする燃焼炉。
【請求項６】
前記シュートは断面が多角形の内部空間を有することを特徴とする請求項４又は５に記載の燃焼炉。
【請求項７】
第二のスラグ分離室の排ガス排出口に水平方向に対して４０°以上の角度の煙道を接続することを特徴とする請求項５に記載の燃焼炉。
【発明の詳細な説明】
【技術分野】
【０００１】
本発明は塵芥を炉内で燃焼及びガス化しその残さである焼却灰を溶融して溶融スラグとして炉外に排出する塵芥の燃焼炉に関し、特に溶融スラグの回収効率を向上することのできるスラグ回収装置およびそれを用いた燃焼炉に関する。
【背景技術】
【０００２】
従来より塵芥はストーカー炉や流動床炉で焼却処理して、その焼却灰を埋め立て処分することが一般的に行なわれていた。しかし最近埋め立て処分する際に焼却灰の容積が未だ充分に減少していないこと、焼却灰を埋め立て処分するに際に飛散して周囲の環境に悪影響を及ぼすこと等から、焼却灰を溶融スラグ化してそれを埋め立て処分することが推奨されている。
そこで塵芥を溶融処理する方法としては、従来の焼却炉から排出された焼却灰を別途の溶融炉で溶融スラグ化するものと、塵芥を一つの炉内で溶融スラグ化までするものとの２種類のものがある。
【０００３】
塵芥を炉内で溶融スラグ化するものとしては、例えば特公平２−５６５６５号公報に記載されたものがある。当該公報に記載の技術はコークス層を羽口から吹き込まれる空気で燃焼させて高温炉床を形成し、高温炉床上で塵芥をガス化及び燃焼し、その残さを溶融スラグ化して炉外に排出するものである。そして発生した可燃性ガスをシャフト炉体に複数段に分割して配置した空気供給口から供給される空気で完全燃焼させて炉から放出するものである。すなわち空気供給口を複数段に分割することによって、未燃ガスの燃焼域を上下に長くできると共に、未燃ガスの燃焼速度を小さくでき、その結果未燃ガスの火焔温度を低く且つ変化の少ない状態にできるので、ＮＯＸの発生が抑えられるとしている。
【０００４】
前記した先行技術においては、複数段の空気供給口を設けて、それにより空気を供給することは未燃ガスの火焔温度を低く抑えることには有効でありＮＯＸの抑制には効果的に作用する。しかし本先行技術では可燃性ガスの燃焼温度を比較的低く抑えることや排ガスの一部を再び炉内に供給する（空塔速度の上昇を招く）ことを行っているので燃焼排ガス中のダイオキシン濃度は必ずしも十分抑制された値にはならない。
【０００５】
本願出願人は上記の課題を解決して、ＮＯＸおよびダイオキシンの発生を抑制でき、また飛灰の溶融付着が少ない塵芥の溶融システムとして、特許文献１の塵芥の処理装置を提案している。この塵芥の処理装置は、シャフト炉内に塵芥及びコークスを供給して、それらの可燃物質に対する化学量論的空気量以下の雰囲気下で塵芥を燃焼及びガス化し、残さを溶融スラグとして炉外に排出する塵芥の処理装置であって、炉底部にコークス層を形成し、前記コークス層の上に堆積した塵芥層を形成し、シャフト炉に連接して二次燃焼炉を設け、シャフト炉内の塵芥層より上部の空間と二次燃焼炉の入り口近傍に、それぞれ第一の空気供給口と第二の空気供給口を設け、前記第一の空気供給口からシャフト炉内を化学量論的空気量以下に維持するように燃焼支持ガスを供給してガスを燃焼させ、第二の空気供給口から二次燃焼炉内を化学両論的空気量以上に維持するように燃焼支持ガスを供給してガスを更に燃焼させることを特徴とするものである。
【０００６】
ガス化溶融炉では、投入された廃棄物は酸素比を抑制された雰囲気中で加熱されて可燃性ガスと固形カーボンに熱分解され、固形カーボンは高温炉床部において燃焼し、残った焼却灰は加熱されて溶融スラグとして炉底部から排出される。一方、可燃性ガスはガス化溶融炉に連設する二次燃焼炉に導入して高温燃焼する。ここで、従来の二次燃焼炉を図７に示す。図示省略したガス化溶融炉で生成した可燃性ガスgはガス化溶融炉からダスト、固形カーボン、焼却灰等の比重の小さい粒子状固形分oを伴って二次燃焼炉１に旋回流を形成する方向に導入される。二次燃焼炉１の入り口近傍に設けた空気供給口（図示省略）から空気の供給を受けた可燃性ガスgは燃焼して１２００〜１３００℃の燃焼ガスhとなる。燃焼ガスhは絞り部１ａを介して接続するシュート２に導入される。粒子状固形分oに含まれる可燃成分は燃焼し残った灰分は溶融してスラグミストとなる。スラグミストは旋回流の効果により二次燃焼炉１の耐火材製の内周面に付着し、自重で流下して絞り部１ａを経てシュート２に達する。シュート２の内壁面は耐火材で構成され底面は水槽３に貯留された水４によって封止され、シュート２の内壁面と水面４ａとでスラグ分離室２ａを構成する。内壁面を流下したスラグミストは水面４ａによって捕捉され水槽３内に沈み燃焼ガスhから分離回収される。内壁面を流下せず燃焼ガスhの流れに乗ってスラグ分離室２ａまで達したスラグミストも水面４ａによって捕捉され分離回収される。水槽３内のスラグは搬送装置によって排出される。スラグミストを分離した後の燃焼ガスhは水面４ａより上がった位置のシュート２の内壁に接続される煙道５を通って後続の排ガス処理設備６に導入され熱回収や無害化処理の後、大気中に排出される。
【特許文献１】特開２００１−２８９４１８号公報
【発明の開示】
【発明が解決しようとする課題】
【０００７】
上記の塵芥の溶融システムは二次燃焼炉における飛灰の溶融付着量は少ないものの、扱う廃棄物の性状によっては比較的多くの飛灰の溶融付着が認められることがある。飛灰の溶融付着はその成長を放置すると二次燃焼炉の閉塞を引き起こすことがある。特に廃車のシュレッダーダストのように細かく切断された樹脂、紙、繊維等を多く含む廃棄物を処理する際にこの現象が見られる。
【０００８】
二次燃焼炉１の内周面に付着したスラグミストは溶融スラグpとなり自重で流下して絞り部１ａを経てシュート２に達する。溶融スラグpはシュート２の内面を更に流下して水面４ａ近くで壁面に固着することがある。この固着したスラグは後続の溶融スラグpと合わさって大きなスラグ塊ｑに成長する。これを放置すると水面４ａにおけるスラグの捕捉ができなくなる。
【０００９】
この現象をシミュレーションで解析した。図８は絞り部１ａ、スラグ分離室２ａ、煙道５の内部表面温度をシミュレーションで求めた結果である。全体的には１３００℃以上でありスラグは溶融状態が保たれ壁面を流下すると考えられるが、水面４ａの真上で且つ点線より下に１３００℃以下の温度領域がある。スラグの溶融温度はその成分により異なるため１１００〜１５００℃程度の範囲がある。したがって溶融スラグは成分によっては水面４ａに達する前に溶融温度以下になりそこで凝固することが考えられる。
【００１０】
図９は燃焼ガスの絞り部１ａ、スラグ分離室２ａ、煙道５における内部表面流速をシミュレーションで求めた結果である。絞り部１ａとスラグ分離室２ａでは流速は斜め下方向であり二次燃焼炉の旋回流の影響が残っているが全体としては澱みなく下方向に向かって流れている。水面４ａの真上では斜め上方向の流れや渦流が発生しており流れが澱んでいることがわかる。図８，１０に示す結果から水面４ａの真上近傍の壁面でスラグ塊が形成されることが予想される。これは図７に示す従来の二次燃焼炉におけるスラグ塊の実際の形成箇所とよく一致することが確認された。
【００１１】
したがって本発明の目的は、廃棄物処理設備の二次燃焼炉または溶融炉で生じる溶融スラグを燃焼ガスから水槽を使って分離するにあたり、水面の真上近傍の壁面でスラグ塊が形成されることを防ぐことのできるスラグ回収装置およびそれを用いた燃焼炉を提供することにある。
【課題を解決するための手段】
【００１２】
本願発明者は、スラグを捕捉する水面の真上に燃焼ガスの澱みができることによりスラグ塊が成長しやすくなるものと考えた。この澱みができないように燃焼ガスを流すことでスラグ塊の成長が抑制されることを見出し本発明に想到した。
【００１３】
すなわち、本願第一の発明は、壁面および水面によって画定されるスラグ分離室を有し、スラグ分離室に臨む壁面に排ガス導入口および下端が前記水面の水位以下に達する排ガス出口を設けることを特徴とするスラグ回収装置である。
【００１４】
本願第二の発明は、夫々が壁面および水面によって画定される第一のスラグ分離室と第二のスラグ分離室とを有し、第一のスラグ分離室に臨む壁面に排ガス導入口および下端が前記水面の水位以下に達する排ガス出口を設け、第二のスラグ分離室に臨む壁面に下端が前記水面の水位より上に位置する排ガス排出口を設け、前記排ガス出口が第二のスラグ分離室に連通することを特徴とするスラグ回収装置である。
【００１５】
第一，二の発明においては、前記排ガス出口をアーチ型形状とすることが好ましい。
【００１６】
本願第三の発明は、下部に出口を備える燃焼室と、シュートと、壁面および水面によって画定されるスラグ分離室を有しスラグ分離室に臨む壁面に排ガス導入口および下端が前記水面の水位以下に達する排ガス出口を設けたスラグ回収装置とを備え、前記燃焼室の出口に前記シュートを接続し、前記シュートの出口に前記スラグ回収装置の排ガス導入口を接続することを特徴とする燃焼炉である。
【００１７】
本願第四の発明は、下部に出口を備える燃焼室と、シュートと、夫々が壁面および水面によって画定される第一のスラグ分離室と第二のスラグ分離室とを有し第一のスラグ分離室に臨む壁面に排ガス導入口および下端が前記水面の水位以下に達する排ガス出口を設け第二のスラグ分離室に臨む壁面に下端が前記水面の水位より上に位置する排ガス排出口を設け、前記排ガス出口が第二のスラグ分離室に連通するスラグ回収装置とを備え、前記燃焼室の出口に前記シュートを接続し、前記シュートの出口に第一のスラグ回収装置の排ガス導入口を接続することを特徴とする燃焼炉である。
【００１８】
第三，四の発明においては、前記シュートは断面が多角形の内部空間を有することが好ましい。
【００１９】
第四の発明においては、第二のスラグ分離室の排ガス排出口に水平方向に対して４０°以上の角度の煙道を接続することが好ましい。
【発明の効果】
【００２０】
上述のように、本発明のスラグ回収装置およびそれを用いた燃焼炉によれば、廃棄物処理設備の二次燃焼炉または溶融炉で生じる溶融スラグを燃焼ガスから水槽を使って分離するにあたり、水面の真上近傍の壁面でスラグ塊が形成されることを防ぐことができる。
【発明を実施するための最良の形態】
【００２１】
次に本発明を実施例によって具体的に説明するが、これら実施例により本発明が限定されるものではない。
【００２２】
本発明のスラグ回収装置及びそれを用いた燃焼炉の概略図を図１に示す。図１と図７とで互いに相当する部分には同一の符号を付す。二次燃焼炉１は内面が耐火材で構成され可燃性ガスを燃焼させてその熱で可燃性固形分や灰分を燃焼、溶融させる。端部は絞り部１ａとなり絞り部１ａは内面が耐火材で構成されたシュート２と接続する。シュート２はその下端部がスラグ分離室１１の排ガス導入口１０ａに接続する。スラグ分離室１１は壁面１０および水面４ａによって画定される空間である。スラグ分離室１１に臨む壁面１０には排ガス導入口１０ａおよび下端が水面４ａの水位以下に達する排ガス出口１０ｂを設ける。スラグ分離室１１の下流側には第二のスラグ分離室１３がある。第二のスラグ分離室１３は壁面１２および水面４ａによって画定される空間である。第二のスラグ分離室１３に臨む壁面１２には下端が水面４ａの水位より上に位置する排ガス排出口１２ａを設ける。排ガス出口１０ｂは第二のスラグ分離室１３に連通しているためスラグ分離室（第一のスラグ分離室）１１と第二のスラグ分離室１３は繋がった空間となる。ここでスラグ回収装置２０はスラグ分離室１１、壁面１０、水面４ａ、排ガス導入口１０ａおよび排ガス出口１０ｂによって構成される。又はスラグ回収装置２０は第一のスラグ分離室１１、第二のスラグ分離室１３、壁面１０，１２、水面４ａ、排ガス導入口１０ａ、排ガス出口１０ｂおよび排ガス排出口１２ａによって構成される。排ガス排出口１２ａは煙道５に連接し、煙道５は排ガス処理設備６に連接する。
【００２３】
図１で図示省略したガス化溶融炉で生成した可燃性ガスgはガス化溶融炉からダスト、固形カーボン、焼却灰等の比重の小さい粒子状固形分oを伴って二次燃焼炉１に旋回流を形成する方向に導入される。二次燃焼炉１の入り口近傍に設けた空気供給口（図示省略）から空気の供給を受けた可燃性ガスgは燃焼して１２００〜１３００℃の燃焼ガスhとなる。燃焼ガスhは絞り部１ａを介して接続するシュート２に導入される。シュート２で流速を速めた燃焼ガスhは排ガス導入口１０ａからスラグ分離室（第一のスラグ分離室）１１へ入り、更に水面４ａに沿って流れ、排ガス出口１０ｂを経て第二のスラグ分離室１３へ入る。燃焼ガスhは水面４ａより上の位置に開口している排ガス排出口１２ａへ向かって流れて煙道５を通って排ガス処理設備６に供給される。
【００２４】
一方、粒子状固形分oに含まれる可燃成分は燃焼し残った灰分は溶融してスラグミストとなる。スラグミストは旋回流の効果により二次燃焼炉１の耐火材製の内周面に付着して溶融スラグとなり、自重で流下して絞り部１ａで集められてシュート２に達する。溶融スラグはシュート２の壁面に続いてスラグ回収装置２０の壁面１０に沿って流下して水面４ａに捕捉される。若しくはシュート２の壁面または壁面１０から水面４ａに落ちる。シュート２の壁面または壁面１０を流下せず燃焼ガスhの流れに乗ってスラグ分離室１１，１３まで達したスラグミストも水面４ａによって捕捉され分離回収される。
【００２５】
図２は本発明のスラグ回収装置の内部の燃焼ガスの速度分布をシミュレーションで求めた結果である。シュート２からスラグ分離室１１，１３に導入された燃焼ガスhは水面４ａ上では遅い流れであり、水面４ａから離れる（高くなる）にしたがって速い流れになる。しかし、スラグ分離室１１，１３内では水面４ａに沿ってほぼ水平に流れ澱みはほとんど認められない。これは排ガス出口１０ｂの開口の下端部が水面４ａに対して実質的に同レベルまたはそれより低いレベルにあるためスラグ分離室１１の水面４ａ真上における燃焼ガスhの流れが乱されないことによるものと考えられる。
【００２６】
図３は本発明のスラグ回収装置の内部の温度分布をシミュレーションで求めた結果である。スラグ分離室（第一のスラグ分離室）１１においては水面４ａ近傍まで１３００℃近い高温状態が保持され水面４ａの真上にできる低温領域がスラグの流下方向に対して薄いことがわかる。
【００２７】
速度分布のシミュレーション結果と合わせて考えると本発明のスラグ回収装置でスラグ塊の成長が抑制される理由は次のように考えられる。すなわち、シュート２の内壁を流下した溶融スラグはスラグ分離室１１の壁面を流下して水面４ａ近傍に達する。水面４ａ近傍では燃焼ガスhの流れに澱みがなく低温領域も薄いため溶融スラグは凝固する前に水面４ａに達して捕捉されるのである。なお、第二のスラグ分離室１３の水面４ａの真上にできる低温領域は第一のスラグ分離室１１のそれより厚いが、第二のスラグ分離室１３まで達する溶融スラグは少ないためここでスラグ塊が大きく成長することはない。
【００２８】
第二のスラグ分離室１３において排ガス排出口１２ａは水面４ａより上の位置に設置されている。これは燃焼ガスhを水面４ａ上で一旦上向きに流すことで、燃焼ガスhに同伴して第二のスラグ分離室１３まで達した溶融スラグを水面４ａに落として捕捉するためである。したがって水面４ａと排ガス排出口１２ａとの鉛直方向の距離Ｈは大きいほど良い。
【００２９】
この構造を採用してもなお燃焼ガスhに同伴しやすいスラグミストが第二のスラグ分離室１３を通過して後段の排ガス処理設備６に持ち込まれる場合がある。このような場合は排ガス排出口１２ａに接続する煙道５の水平線に対する設置角度θを４０°以上とするとよい。一旦、煙道５に進入したスラグミストは煙道５の内壁に付着し内壁を流れ下って第二のスラグ分離室１３に戻され、更に壁面１２を流下して水面４ａに捕捉される。
【００３０】
図４は図１に示す二次燃焼炉のＡ−Ａ断面矢視図である。可燃性ガスgは粒子状固形分oを伴って二次燃焼炉１に旋回流を形成する方向に導入される。可燃性ガスgは燃焼して１２００〜１３００℃の燃焼ガスhとなる。燃焼ガスhは絞り部１ａを介して接続するシュート２に導入される。本発明ではシュート２の内部空間を多角形にすることが好ましい。図４では四角形とした例を示す。旋回流の影響を受けた溶融スラグｐは二次燃焼炉１に続いて絞り部１ａを斜め下方向に向かって流れ落ちる。シュート２の入口に達した溶融スラグｐはシュート２の四隅に集まり太い流れとなって一気にシュート２の内壁を流れ落ちる。四隅以外からシュート２の内壁に達した溶融スラグｐはシュート２の内壁を流れ落ちながら四隅に寄せられ流れに合流する。四隅では旋回流の影響が少なく鉛直方向の流れが生じているため四隅に集まった溶融スラグｐは鉛直方向に流れやすく水面４ａに達し易い。
【００３１】
本発明では排ガス出口１０ｂをアーチ型形状とすることが好ましい。図５は排ガス出口１０ｂの形状の選定の経緯である。本図はスラグ分離室１１の内部から排ガス出口１０ｂをみた図である。燃焼ガスhは紙面に垂直で奥へ向かって流れる。図４で説明したように溶融スラグはシュート２の主に四隅を伝わって流れ落ちる。図５に示す排ガス出口１０ｂにおいては矢印で示した位置から流れ落ちてくる。四隅以外のところを伝わって流れ落ちる溶融スラグはアーチ形状を伝わって四隅の溶融スラグと合流する。Ａ，Ｃは図４に対応する。アーチ型形状（１）は両側ともアーチが水面４ａに届かない位置で留まる形状である。内壁に沿ってアーチの下部まで流れ落ちた溶融スラグは、そこで燃焼ガスhの流れに曝される。図２で説明した通り排ガス出口１０ｂの高い位置ほど流速が早いため、溶融スラグはＡ，Ｃ両側から燃焼ガスhに同伴して第二のスラグ分離室１３側へ飛散する。しかし、飛散した溶融スラグが煙道５まで達することはない。アーチ型形状（２）はアーチの下端がＡ側では水面４ａに届かない位置で留まり、Ｃ側では水面４ａに届く形状である。この形状ではＣ側においてはほとんどの溶融スラグが水面４ａで捕捉され、燃焼ガスhに同伴して第二のスラグ分離室１３側へ飛散する溶融スラグはほとんど認められなかった。排ガス出口１０ｂの低い位置では流速が遅いため、溶融スラグは燃焼ガスhに同伴しにくいのである。Ａ側ではアーチ型形状（１）と同様に飛散が見られた。しかし、飛散した溶融スラグが煙道５まで達することはない。アーチ型形状（３）はアーチの下端が両側とも水面４ａに届く形状である。両側においてほとんどの溶融スラグが水面４ａで捕捉され、燃焼ガスhに同伴して第二のスラグ分離室１３側へ飛散する溶融スラグはほとんど認められなかった。
【００３２】
排ガス出口１０ｂをアーチ型形状としたときの効果を詳細に説明する。図６は前述のアーチ型形状（１）を採用したときのスラグ回収装置をＡ側（図４参照）から見た図である。シュート２の内壁に沿ってアーチの下部まで流れ落ちた溶融スラグｐは、そこで燃焼ガスhの流れに曝される。溶融スラグｐは燃焼ガスhの流れにより図６で右側方向への風圧を受ける。溶融スラグｐはその多くがＡ側の壁面（図６で手前側の壁面）とＢ側の壁面（排ガス出口１０ｂを有するアーチ型形状の壁面）とのコーナー部の近くを流れ下るためＡ側壁面上を広がるようにして第二のスラグ分離室１３側へ飛散し、水面４ａによって捕捉される。
【産業上の利用可能性】
【００３３】
本発明は、塵芥を炉内で燃焼及びガス化しその残さである焼却灰を溶融して溶融スラグとして炉外に排出する塵芥の燃焼炉に関し、特に溶融スラグの回収効率を向上することのできるスラグ回収装置およびそれを用いた燃焼炉に利用出来る。
【図面の簡単な説明】
【００３４】
【図１】本発明のスラグ回収装置及びそれを用いた燃焼炉の概略図である。
【図２】本発明のスラグ回収装置の内部の燃焼ガスの速度分布をシミュレーションで求めた結果を示した図である。
【図３】本発明のスラグ回収装置の内部の温度分布をシミュレーションで求めた結果を示した図である。
【図４】図１に示す二次燃焼炉のＡ−Ａ断面矢視図である。
【図５】排ガス出口１０ｂの形状の選定の経緯を纏めた図である。
【図６】排ガス出口１０ｂをアーチ型形状としたときの効果を示す図である。
【図７】従来の二次燃焼炉を示す図である。
【図８】従来の二次燃焼炉のスラグ分離室の内部表面温度をシミュレーションで求めた結果を示す図である。
【図９】従来の二次燃焼炉のスラグ分離室の内部表面流速をシミュレーションで求めた結果を示す図である。
【符号の説明】
【００３５】
１  二次燃焼炉
１ａ  絞り部
２  シュート
２ａ  スラグ分離室
３  水槽
４  水
４ａ  水面
５  煙道
６  排ガス処理設備
１０  壁面
１１  スラグ分離室（第一のスラグ分離室）
１０ａ  排ガス導入口
１０ｂ  排ガス出口
１２  壁面
１２ａ  排ガス排出口
１３  第二のスラグ分離室
２０  スラグ回収装置
ｇ  可燃性ガス
ｈ  燃焼ガス
Ｏ  粒子状固形分
ｐ  溶融スラグ
ｑ  スラグ塊
【図１】
2007085564.tif 000003
【図４】
2007085564.tif 000004
【図５】
2007085564.tif 000005
【図６】
2007085564.tif 000006
【図７】
2007085564.tif 000007
【図２】
2007085564.tif 000008
【図３】
2007085564.tif 000009
【図８】
2007085564.tif 000010
【図９】
2007085564.tif 000011